(57)【要約】【課題】デフロスタドアのドア開度が中間開度時であっても、デフロスタダクトの風向拡散部による加熱風の風向き拡散性能を発揮させ、ウィンドウの曇りを短時間で整然と取り除くことができる車両用空気調和装置のデフロスタ構造を提供すること。【解決手段】風向拡散部２１ｂを有し、加熱風吹き出し口２１ｄをフロントウィンドウ２４に向かって開口したデフロスタダクト２１と、デフ吹き出し部のドア開度を制御するデフロスタドア１４と、を備えたヒータ＆クーリングユニットのデフロスタ構造において、前記デフロスタドア１４は、ドア開度が中間開度のとき、デフロスタドア１４により規定される加熱風の風向きが、前記デフロスタダクト２１の風向拡散部２１ｂに当たる風向きとなるように配置した。【選択図】図２
2008037379.tif 000002
【特許請求の範囲】
【請求項１】
空調ケースのデフ吹き出し開口端に連結し、暖房用熱交換器を経過した加熱風を吹き出す加熱風吹き出し口をウィンドウに向かって開口したデフロスタダクトと、
前記空調ケースのデフ吹き出し部に配置され、前記デフ吹き出し部のドア開度を制御するデフロスタドアと、を備え、
前記デフロスタダクトは、前記デフ吹き出し開口端の直上位置に傾斜配置され、デフ吹き出し開口端からの加熱風が当たってから風向きを左右に拡散させる風向拡散部と、該風向拡散部により拡散された加熱風をウィンドウに向かって吹き出すノズル部と、を有する車両用空気調和装置のデフロスタ構造において、
前記デフロスタドアは、ドア開度が中間開度のとき、デフロスタドアにより規定される加熱風の風向きが、前記デフロスタダクトの風向拡散部に当たる風向きとなるように配置したことを特徴とする車両用空気調和装置のデフロスタ構造。
【請求項２】
請求項１に記載された車両用空気調和装置のデフロスタ構造において、
前記デフロスタドアを、デフ吹き出し開口端より上流位置の車両前後方向に開通するデフ吹き出し通路の入口位置に配置し、かつ、前記デフロスタドアのドア回転軸をデフ吹き出し通路の下側位置に設定し、
前記デフロスタドアのドア開度が中間開度のとき、ドア面により規定される加熱風の風向きを、前記風向拡散部に当たる風向きに設定したことを特徴とする車両用空気調和装置のデフロスタ構造。
【請求項３】
請求項２に記載された車両用空気調和装置のデフロスタ構造において、
前記空調ケースは、前記デフ吹き出し開口端と隣接する位置にベント吹き出し開口端を配置すると共に、前記ベント吹き出し開口端の領域にベントドアを配置し、
前記デフロスタドアのドア回転軸を、デフ吹き出し通路の入口位置であってデフ吹き出し通路の下側位置に設定し、
前記ベントドアのドア回転軸を、デフ吹き出し通路の入口位置であってデフ吹き出し通路の上側位置に設定したことを特徴とする車両用空気調和装置のデフロスタ構造。
【請求項４】
請求項３に記載された車両用空気調和装置のデフロスタ構造において、
前記ウィンドウは、フロントウィンドウであり、
前記デフロスタダクトは、前記風向拡散部と前記ノズル部とによって断面形状を「く」の字形状とし、
前記空調ケースは、車両前方位置にデフ吹き出し開口端を配置し、該デフ吹き出し開口端と隣接する車両後方位置にベント吹き出し開口端を配置し、
前記ベントドアのドア開度が全閉で、かつ、前記デフロスタドアのドア開度が中間開度となるモード選択時、前記ベントドアは、車両後方に向かって下がる後方下がり傾斜状態の設定とし、前記デフロスタドアは、車両前方に向かって上がる前方上がり傾斜状態の設定としたことを特徴とする車両用空気調和装置のデフロスタ構造。
【発明の詳細な説明】
【技術分野】
【０００１】
本発明は、フロントウィンドウ等の曇りの原因となる霧滴や霜を加熱風の吹き出しにより取り除く車両用空気調和装置のデフロスタ構造に関する。
【背景技術】
【０００２】
従来、車両用空気調和装置のデフロスタ構造としては、空調ケースのデフ吹き出し開口端に連結し、暖房用熱交換器を経過した加熱風を吹き出す加熱風吹き出し口をウィンドウに向かって開口したデフロスタダクトと、空調ケースのデフ吹き出し部に配置され、前記デフ吹き出し部のドア開度を制御するデフロスタドアと、を備えたものが知られている（例えば、特許文献１参照。）。
【０００３】
上記従来のデフロスタ構造では、窓晴れ性向上のため、ノズル部から吹き出される加熱風の風速分布や風向性を良くする方策として、デフロスタダクトに、空調ケースのデフ吹き出し開口端から出た加熱風の風を左右に拡散させる風向拡散部を設けることが知られている。
【特許文献１】特開２０００−２１９０２７号公報
【発明の開示】
【発明が解決しようとする課題】
【０００４】
しかしながら、従来の車両用空気調和装置のデフロスタ構造にあっては、デフロスタドアとして、空調ケースのデフ吹き出し部の車両前方位置にドア回転軸を設定し、上下方向に開閉動作（上方向の回動停止位置が全閉、下方向の回動停止位置が全開）させるドアを用いているため、フットモード等のように、デフロスタドアのドア開度を中間開度とするとき、デフロスタダクトの風向拡散部に加熱風が当たらず、ドア開口部からデフロスタドアのドア面に沿って流れ、そのままノズル部に達するというように、風向拡散部による加熱風の風向き拡散性能が発揮されない、という問題があった。
【０００５】
本発明は、上記問題に着目してなされたもので、デフロスタドアのドア開度が中間開度時であっても、デフロスタダクトの風向拡散部による加熱風の風向き拡散性能を発揮させ、ウィンドウの曇りを短時間で整然と取り除くことができる車両用空気調和装置のデフロスタ構造を提供することを目的とする。
【課題を解決するための手段】
【０００６】
上記目的を達成するため、本発明では、空調ケースのデフ吹き出し開口端に連結し、暖房用熱交換器を経過した加熱風を吹き出す加熱風吹き出し口をウィンドウに向かって開口したデフロスタダクトと、
前記空調ケースのデフ吹き出し部に配置され、前記デフ吹き出し部のドア開度を制御するデフロスタドアと、を備え、
前記デフロスタダクトは、前記デフ吹き出し開口端の直上位置に傾斜配置され、デフ吹き出し開口端からの加熱風が当たってから風向きを左右に拡散させる風向拡散部と、該風向拡散部により拡散された加熱風をウィンドウに向かって吹き出すノズル部と、を有する車両用空気調和装置のデフロスタ構造において、
前記デフロスタドアは、ドア開度が中間開度のとき、デフロスタドアにより規定される加熱風の風向きが、前記デフロスタダクトの風向拡散部に当たる風向きとなるように配置したことを特徴とする。
【発明の効果】
【０００７】
よって、本発明の車両用空気調和装置のデフロスタ構造にあっては、デフロスタドアのドア開度が中間開度のとき、デフロスタドアにより規定される加熱風の風向きが、デフロスタダクトの風向拡散部に当たる風向きとなるように配置される。
このデフロスタドアの配置により、デフロスタドアのドア開度が中間開度のとき、デフ吹き出し開口端からの加熱風は、風向拡散部に当たってから風向きを変えて左右に拡散する作用を示す。この拡散作用によりノズル部からウィンドウに向かって吹き出される加熱風は、その風速分布がノズル全幅にわたって均等化されることになり、ウィンドウの曇りの原因となる霧滴や霜が、加熱風の吹き出しにより全体的に取り除かれる。
この結果、デフロスタドアのドア開度が中間開度時であっても、デフロスタダクトの風向拡散部による加熱風の風向き拡散性能を発揮させ、ウィンドウの曇りを短時間で整然と取り除くことができる。
【発明を実施するための最良の形態】
【０００８】
以下、本発明の車両用空気調和装置のデフロスタ構造を実現する最良の形態を、図面に示す実施例１に基づいて説明する。
【実施例１】
【０００９】
まず、構成を説明する。
図１は実施例１のデフロスタ構造が適用されたヒータ＆クーリングユニット（車両用空気調和装置の一例）を示す全体システム図である。
【００１０】
実施例１におけるヒータ＆クーリングユニットは、図１に示すように、空調ケース１と、送風機２と、クリーンフィルタ３と、冷却用熱交換器４と、暖房用熱交換器５と、エアミックスドア６と、スライドドア駆動ギア７と、フットドア８と、冷風バイパス通路９と、暖風通路１０と、フット吹き出し口１１と、ベントドア１２と、ベント吹き出し開口端１３と、デフロスタドア１４と、デフロスタ吹き出し開口端１５と、混合風通路１６と、デフ吹き出し通路１７と、ベントドア回転軸１８と、デフロスタドア回転軸１９と、を備えている。
【００１１】
実施例１におけるヒータ＆クーリングユニットへの付設部材や周辺部材として、図１に示すように、ベントダクト２０と、デフロスタダクト２１と、デフロスタガーニッシュ２２と、インストルメントパネル２３と、フロントウィンドウ２４（ウィンドウ）と、を備えている。
【００１２】
前記クリーンフィルタ３は、前記冷却用熱交換器４の上流側に取り付けられている。このクリーンフィルタ３は、帯電繊維を使用しており、図外の空気取り入れ口から導入される外気や内気から、ほこり，花粉，粉塵等を取り除く。
【００１３】
前記冷却用熱交換器４は、エバポレータと呼ばれる熱交換器で、前記クリーンフィルタ３の下流位置に配置され、冷媒入口と冷媒出口を有する。
【００１４】
前記暖房用熱交換器５は、ヒータコアと呼ばれる熱交換器で、前記冷却用熱交換器４及び前記エアミックスドア６の下流位置に配置され、エンジン冷却入口とエンジン冷却水出口を有する。
【００１５】
前記エアミックスドア６は、前記冷却用熱交換器４の下流位置に配置され、ヒータ＆クーリングユニットの小型化を図るためにスライドドアを採用し、スライドドア駆動ギア７により駆動される。このエアミックスドア６は、選択されるモードに応じ、冷風バイパス通路９を全開にする位置（図１の点線位置）から暖風通路１０を全開にする位置（図１の実線位置）までの何れかの位置にドア開度が制御される。
【００１６】
前記フットドア８は、ドア開時、前記冷風バイパス通路９や前記暖風通路１０からの空気を、フット吹き出し口１１を介して乗員の足下に吹き出す。
【００１７】
前記ベントドア１２は、ドア開時、前記混合風通路１６からの冷風・暖風・混合風のいずれかを、ベント吹き出し開口端１３を介してベントダクト２０へ配風する。
【００１８】
前記デフロスタドア１４は、ドア開時、前記暖風通路８および前記混合風通路１６からの暖風を、デフ吹き出し開口端１５を介してデフロスタダクト２１へ配風する。
【００１９】
次に、実施例１のデフロスタ構造を、図２及び図３に基づいて詳しく説明する。
図２は実施例１のデフロスタ構造を示す要部断面図、図３は実施例１のデフロスタ構造におけるデフロスタダクトを示す斜視図である。
【００２０】
実施例１のデフロスタ構造は、図２に示すように、空調ケース１のデフ吹き出し開口端１５に連結し、暖房用熱交換器５を経過した加熱風を吹き出す加熱風吹き出し口２１ｄをフロントウィンドウ２４に向かって開口したデフロスタダクト２１と、空調ケース１のデフ吹き出し部に配置され、このデフ吹き出し部のドア開度を制御するデフロスタドア１４と、を備えている。
【００２１】
前記デフロスタダクト２１は、図２及び図３に示すように、空調ケース１のデフ吹き出し開口端１５に連結されるユニット連結部２１ａと、前記デフ吹き出し開口端１５の直上位置に傾斜配置され、デフ吹き出し開口端１５からの加熱風が当たってから風向きを左右に拡散させる扇形の風向拡散部２１ｂと、該風向拡散部２１ｂにより拡散された加熱風をフロントウィンドウ２４に向かって吹き出すノズル部２１ｃと、該ノズル部２１ｃの開口端である加熱風吹き出し口２１ｄと、を有する。
【００２２】
前記デフロスタドア１４は、図２に示すように、ドア開度が中間開度のとき、デフロスタドア１４により規定される加熱風の風向きが、前記デフロスタダクト２１の風向拡散部２１ｂに当たる風向きとなるように配置している。
具体的には、前記デフロスタドア１４を、図２に示すように、デフ吹き出し開口端１５より上流位置の車両前後方向に開通するデフ吹き出し通路１７の入口位置に配置し、かつ、デフロスタドア１４のドア回転軸１９をデフ吹き出し通路１７の下側位置に設定し、デフロスタドア１４のドア開度が中間開度のとき、ドア面１４ａにより規定される加熱風の風向きを、風向拡散部２１ｂに当たる風向きに設定している。
【００２３】
次に、デフロスタドア１４と隣接するベントドア１２の構成と、両ドア１２，１４の関係について説明する。
【００２４】
前記空調ケース１は、デフ吹き出し開口端１５と隣接する位置にベント吹き出し開口端１３を配置すると共に、ベント吹き出し開口端１３の領域にベントドア１２を配置し、デフロスタドア１４のドア回転軸１９を、デフ吹き出し通路１７の入口位置であってデフ吹き出し通路１７の下側位置に設定し、ベントドア１２のドア回転軸１８を、デフ吹き出し通路１７の入口位置であってデフ吹き出し通路１７の上側位置に設定している。つまり、両ドア回転軸１８，１９は、図２に示すように、ドア回転軸１８が上でドア回転軸１９が下という、上下の位置関係で配置される。
【００２５】
実施例１におけるウィンドウは、フロントウィンドウ２４であり、デフロスタダクト２１は、図２に示すように、フロントウィンドウ２４の下端部から内面に沿って加熱風を吹き出すように、風向拡散部２１ｂとノズル部２１ｃとによって断面形状を「く」の字形状としている。そして、空調ケース１は、車両前方位置にデフ吹き出し開口端１５を配置し、該デフ吹き出し開口端１５と隣接する車両後方位置にベント吹き出し開口端１３を配置している。さらに、ベントドア１２のドア開度が全閉で、かつ、デフロスタドア１４のドア開度が中間開度となるモード（例えば、フットモードやフット／デフモード等）の選択時、図２に示すように、ベントドア１２は、車両後方に向かって下がる後方下がり傾斜状態の設定とし、デフロスタドア１４は、車両前方に向かって上がる前方上がり傾斜状態の設定としている。
【００２６】
次に、作用を説明する。
【００２７】
［風向き拡散作用］
図４は実施例１のデフロスタ構造におけるデフロスタダクトによる風向き拡散作用を説明する作用説明図である。以下、図４に基づいて、デフロスタダクトによる風向き拡散作用を説明する。
【００２８】
車両前後方向において、デフ吹き出し開口端１５から真上の方向に吹き出された加熱風は、図４(a)に示すように、デフロスタダクト２１の風向拡散部２１ｂに当たると、風向拡散部２１ｂの傾斜面に沿う方向に風向きを変える。つまり、風向拡散部２１ｂの前後方向の傾きがＦ１である場合、加熱風は傾きＦ１により風向きが変えられる。
【００２９】
一方、車両左右方向（車幅方向）において、デフ吹き出し開口端１５から真上の方向に吹き出された加熱風は、図４(b)に示すように、デフロスタダクト２１の風向拡散部２１ｂに当たると、風向拡散部２１ｂの傾斜曲面に沿って左右に分かれる方向に風向きを変える。つまり、風向拡散部２１ｂの左右方向の傾きがＦ２である場合、加熱風は傾きＦ２により、デフ吹き出し開口端１５の中央部から右側は右方向に風向きが変えられ、デフ吹き出し開口端１５の中央部から左側は左方向に風向きが変えられる。
【００３０】
したがって、デフ吹き出し開口端１５から真上の方向に吹き出された加熱風は、デフロスタダクト２１の風向拡散部２１ｂに当たると、図４(c)に示すように、前後方向の傾きＦ１と左右方向の傾きＦ２とが複合され、風向きＦの方向に風向きが変えられることになる。つまり、デフ吹き出し開口端１５の中央部から右側にて吹き出された加熱風は、風向きＦにより右方向に拡散し、デフ吹き出し開口端１５の中央部から左側にて吹き出された加熱風は、風向きＦにより左方向に拡散される。
【００３１】
［デフロスタドアの中間開度時におけるデフロスタ作用］
フロントウィンドウのデフロスタ設計は、例えば、一定時間で最小限これだけは除霜しなければならないという設計が要求されるため、非常に難しいものとされている。
【００３２】
そこで、特開２０００−２１９０２７号公報等に記載されている従来のデフロスタ構造をみると、図５に示すように、デフロスタドアとして、空調ケースのデフ吹き出し部の車両前方位置にドア回転軸を設定し、上下方向に開閉動作（上方向の回動停止位置が全閉、下方向の回動停止位置が全開）させるドアを用いている。
【００３３】
このため、フットモード等のように、デフロスタドアのドア開度を微小な中間開度とするとき、図５の実線矢印に示すように、デフロスタダクトの風向拡散部に加熱風が当たらず、ドア開口部からデフロスタドアのドア面に沿って流れ、そのままノズル部に達し、加熱風がフロントウィンドウの中央部のみに集中して吹き出されるというように、風向拡散部による加熱風の風向き拡散性能が発揮されない。
【００３４】
これに対し、実施例１のデフロスタ構造では、デフロスタドア１４のドア開度が中間開度時であっても、デフロスタダクト２１の風向拡散部２１ｂによる加熱風の風向き拡散性能を発揮させ、ウィンドウの曇りを短時間で整然と取り除くことができるようにした。
【００３５】
すなわち、実施例１のデフロスタ構造にあっては、デフロスタドア１４のドア開度が中間開度のとき、デフロスタドア１４により規定される加熱風の風向きが、デフロスタダクト２１の風向拡散部２１ｂに当たる風向きとなるように、デフロスタドア１４が配置される構成を採用した。
【００３６】
このデフロスタドア１４の配置により、デフロスタドア１４のドア開度が中間開度のとき、デフ吹き出し開口端１５からの加熱風は、風向拡散部２１ｂに当たってから風向きを変えて左右に拡散する作用を示す。この拡散作用によりノズル部２１ｃからフロントウィンドウ２４に向かって吹き出される加熱風は、その風速分布がノズル全幅にわたって均等化されることになり、フロントウィンドウ２４の曇りの原因となる霧滴や霜が、加熱風の吹き出しにより全体的に取り除かれる。
【００３７】
次に、実施例１でのデフロスタ作用を詳しく述べる。
【００３８】
実施例１では、例えば、フットモードやフット／デフモード等のように、デフロスタドア１４のドア開度が中間開度とされるとき、ドア面１４ａにより規定される加熱風の風向きを、前記風向拡散部に当たる風向きに設定している。
【００３９】
このため、図２の実線矢印に示すように、混合風通路１６からデフ吹き出し通路１７の入口に向かってきた加熱風は、デフロスタドア１４のドア面１４ａにより、デフロスタダクト２１の風向拡散部２１ｂから離れる方向への流れが阻止され、デフロスタダクト２１の風向拡散部２１ｂへ向かう方向に風向きが規定される。
【００４０】
このように、デフロスタドア１４のドア開度が中間開度となるモード選択時、デフロスタドア１４のドア面１４ａを風向ガイドとし、デフロスタダクト２１の風向拡散部２１ｂに当たるようにしたことで、デフロスタドア１４のドア開度が中間開度であっても風向拡散作用を享受することができる。
【００４１】
さらに、実施例１では、例えば、フットモードやフット／デフモード等のように、ベントドア１２のドア開度が全閉で、かつ、デフロスタドア１４のドア開度が中間開度となるモード選択時には、図２に示すように、ベントドア１２は、車両後方に向かって下がる後方下がり傾斜状態の設定とし、デフロスタドア１４は、車両前方に向かって上がる前方上がり傾斜状態の設定としている。
【００４２】
このため、図２の点線矢印に示すように、デフ吹き出し通路１７より上流位置の混合風通路１６では、ベントドア１２のドア面１２ａにより、真上の方向に向かってきた加熱風の風向きがデフロスタドア１４のドア面１４ａに向かう方向に風向きが変えられる。そして、デフ吹き出し通路１７では、デフロスタドア１４のドア面１４ａにより受け止められた加熱風が、デフロスタダクト２１の風向拡散部２１ｂに当たる方向の風向きに変えられる。
【００４３】
このように、ベントドア１２のドア開度が全閉で、かつ、デフロスタドア１４のドア開度が中間開度となるモード選択時、ベントドア１２のドア面１２ａと、デフロスタドア１４のドア面１４ａとを風向ガイドとし、デフロスタダクト２１の風向拡散部２１ｂに当たるようにしたことで、混合風通路１６での加熱風の流れが不安定な状況であっても、確実に風向拡散作用を享受することができる。
【００４４】
次に、効果を説明する。
実施例１のヒータ＆クーリングユニットのデフロスタ構造にあっては、下記に列挙する効果を得ることができる。
【００４５】
(1) 空調ケース１のデフ吹き出し開口端１５に連結し、暖房用熱交換器５を経過した加熱風を吹き出す加熱風吹き出し口２１ｄをウィンドウに向かって開口したデフロスタダクト２１と、空調ケース１のデフ吹き出し部に配置され、このデフ吹き出し部のドア開度を制御するデフロスタドア１４と、を備え、前記デフロスタダクト２１は、前記デフ吹き出し開口端１５の直上位置に傾斜配置され、デフ吹き出し開口端１５からの加熱風が当たってから風向きを左右に拡散させる風向拡散部２１ｂと、該風向拡散部２１ｂにより拡散された加熱風をウィンドウに向かって吹き出すノズル部２１ｃと、を有するヒータ＆クーリングユニットのデフロスタ構造において、前記デフロスタドア１４は、ドア開度が中間開度のとき、デフロスタドア１４により規定される加熱風の風向きが、前記デフロスタダクト２１の風向拡散部２１ｂに当たる風向きとなるように配置したため、デフロスタドア１４のドア開度が中間開度時であっても、デフロスタダクト２１の風向拡散部２１ｂによる加熱風の風向き拡散性能を発揮させ、ウィンドウの曇りを短時間で整然と取り除くことができる。
【００４６】
(2) 前記デフロスタドア１４を、デフ吹き出し開口端１５より上流位置の車両前後方向に開通するデフ吹き出し通路１７の入口位置に配置し、かつ、デフロスタドア１４のドア回転軸１９をデフ吹き出し通路１７の下側位置に設定し、前記デフロスタドア１４のドア開度が中間開度のとき、ドア面１４ａにより規定される加熱風の風向きを、風向拡散部２１ｂに当たる風向きに設定したため、デフロスタドア１４のドア開度が中間開度となるモード選択時、デフロスタドア１４のドア面１４ａを風向ガイドとして風向拡散部２１ｂによる風向拡散作用を享受することができる。
【００４７】
(3) 前記空調ケース１は、デフ吹き出し開口端１５と隣接する位置にベント吹き出し開口端１３を配置すると共に、ベント吹き出し開口端１３の領域にベントドア１２を配置し、デフロスタドア１４のドア回転軸１９を、デフ吹き出し通路１７の入口位置であってデフ吹き出し通路１７の下側位置に設定し、ベントドア１２のドア回転軸１８を、デフ吹き出し通路１７の入口位置であってデフ吹き出し通路１７の上側位置に設定したため、ベントドア１２の開閉動作とデフロスタドア１４の開閉動作とが互いに干渉することなく行えると共に、両ドア回転軸１８，１９の端部にドアアクチュエータを容易に設定することができる。
【００４８】
(4) 前記ウィンドウは、フロントウィンドウ２４であり、前記デフロスタダクト２１は、風向拡散部２１ｂとノズル部２１ｃとによって断面形状を「く」の字形状とし、前記空調ケース１は、車両前方位置にデフ吹き出し開口端１５を配置し、該デフ吹き出し開口端１５と隣接する車両後方位置にベント吹き出し開口端１３を配置し、前記ベントドア１２のドア開度が全閉で、かつ、デフロスタドア１４のドア開度が中間開度となるモード選択時、前記ベントドア１２は、車両後方に向かって下がる後方下がり傾斜状態の設定とし、前記デフロスタドア１４は、車両前方に向かって上がる前方上がり傾斜状態の設定としたため、ベントドア１２のドア開度が全閉で、かつ、デフロスタドア１４のドア開度が中間開度となるモード選択時、混合風通路１６での加熱風の流れが不安定な状況であっても、ベントドア１２とデフロスタドア１４の両ドア面１２ａ，１４ａを風向ガイドとし、確実に風向拡散作用を享受してフロントウィンドウ２４の曇りを短時間で整然と取り除くことができる。
【００４９】
以上、本発明の車両用空気調和装置のデフロスタ構造を実施例１に基づき説明してきたが、具体的な構成については、この実施例１に限られるものではなく、特許請求の範囲の各請求項に係る発明の要旨を逸脱しない限り、設計の変更や追加等は許容される。
【００５０】
実施例１では、デフロスタドアとして、ドア回転軸を中心に回動させることで流路を開閉するドアを示したが、スライドドア構造等のように、他のドア構造を適用しても良い。要するに、デフロスタドアは、ドア開度が中間開度のとき、デフロスタドアにより規定される加熱風の風向きが、デフロスタダクトの風向拡散部に当たる風向きとなるように配置したものであれば、本発明に含まれる。
【産業上の利用可能性】
【００５１】
実施例１では、デフロスタ構造をフロントウィンドウへ適用する例を示したが、リアウィンドウ等のように他のウィンドウのデフロスタ構造であっても良い。要するに、風向拡散部を有し、加熱風吹き出し口をウィンドウに向かって開口したデフロスタダクトと、デフ吹き出し部のドア開度を制御するデフロスタドアと、を備えた車両用空気調和装置のデフロスタ構造であれば適用することができる。
【図面の簡単な説明】
【００５２】
【図１】実施例１のデフロスタ構造が適用されたヒータ＆クーリングユニット（車両用空気調和装置の一例）を示す全体システム図である。
【図２】実施例１のデフロスタ構造を示す要部断面図である。
【図３】実施例１のデフロスタ構造におけるデフロスタダクトを示す斜視図である。
【図４】実施例１のデフロスタ構造におけるデフロスタダクトによる風向き拡散作用を説明する作用説明図である。
【図５】従来例のデフロスタ構造においてデフロスタドアが中間開度時における加熱風の流れを示す作用説明図である。
【符号の説明】
【００５３】
１  空調ケース
２  送風機
３  クリーンフィルタ
４  冷却用熱交換器
５  暖房用熱交換器
６  エアミックスドア
７  スライドドア駆動ギア
８  フットドア
９  冷風バイパス通路
１０  暖風通路
１１  フット吹き出し口
１２  ベントドア
１２ａ  ドア面
１３  ベント吹き出し開口端
１４  デフロスタドア
１４ａ  ドア面
１５  デフロスタ吹き出し開口端
１６  混合風通路
１７  デフ吹き出し通路
１８  ベントドア回転軸
１９  デフロスタドア回転軸
２０  ベントダクト
２１  デフロスタダクト
２１ａ  ユニット連結部
２１ｂ  風向拡散部
２１ｃ  ノズル部
２１ｄ  加熱風吹き出し口
２２  デフロスタガーニッシュ
２３  インストルメントパネル
２４  フロントウィンドウ（ウィンドウ）
【図１】
2008037379.tif 000003
【図２】
2008037379.tif 000004
【図３】
2008037379.tif 000005
【図４】
2008037379.tif 000006
【図５】
2008037379.tif 000007